(57)【要約】【課題】バックライト照明の均一性を改善するためのシステムを提供する。【解決手段】照明システム１０が、バックライト・ハウジング１９と、バックライト・ハウジング１９に結合された複数の光弁１１と、バックライト・ハウジング１９内に配列されて、光弁１１に光学的に結合された複数の光源２５とを含む。照明システム１０は更に、複数の光源２５と光弁１１との間に光学的に結合された光散乱基板１２と、基板１２上にパターン形成されていて、複数の光源２５からの光の透過強度を調節して、相隔たる光源によって生じる横縞を低減することにより輝度の均一性を向上させる複数の光調節ドット３２とを含むことができる。光調節ドット３２は、反射性ドット、又は透過性ドット、又は吸収性ドット、又はこれらの組合せを含むことができる。【選択図】図２
2008147174.tif 000002
【特許請求の範囲】
【請求項１】
バックライト・ハウジング（１９）と、
前記バックライト・ハウジング（１９）に結合された複数の光弁（１１）と、
前記バックライト・ハウジング（１９）内に配列されて、前記光弁（１１）に光学的に結合された複数の光源（１５）と、
前記複数の光源（１５）と前記光弁（１１）との間に光学的に結合された光散乱基板（１２）と、
前記基板（１２）上にパターン形成されていて、前記複数の光源（１５）からの光の透過強度を調節して、相隔たる前記光源によって生じる横縞を低減することにより輝度の均一性を向上させる複数の光調節ドット（３２）と、
を有する照明システム（１０）。
【請求項２】
前記光散乱基板（１２）は拡散体を有している、請求項１記載の照明システム（１０）。
【請求項３】
前記複数の光源（１５）からの光の強度透過率がドット間隔又はドット面積、或いはそれらの組合せの関数として調節される、請求項１記載の照明システム（１０）。
【請求項４】
バックライト・ハウジング（１９）と、
前記バックライト・ハウジング（１９）に結合された複数の光弁（１１）と、
前記バックライト・ハウジング（１９）内に配列されて、前記光弁（１１）に光学的に結合された複数の光源（１５）と、
前記複数の光源（１５）と前記光弁（１１）との間に光学的に結合されていて、前記複数の光源（１５）からの光の照明均一性を向上させる拡散体（１２）であって、前記複数の光源（１５）からの光の透過強度を調節するようにパターン形成されている複数の光調節ドット（３２）を含み、該光調節ドット（３２）が反射性ドット、又は透過性ドット、又は吸収性ドット、又はこれらの組合せを有している、拡散体（１２）と、
を有する照明システム（１０）。
【請求項５】
前記複数の光源（１５）は熱陰極蛍光光源２５を有している、請求項４記載の照明システム（１０）。
【請求項６】
前記光調節ドット（３２）は、高反射性散乱材料を含有する塗料又はインクを有している、請求項４記載の照明システム（１０）。
【請求項７】
前記光調節ドット（３２）はＴｉＯ２  又はＡｌＯ２  を有している、請求項６記載の照明システム（１０）。
【請求項８】
前記光調節ドットは約５００μｍ未満のドット幅を有している、請求項４記載の照明システム（１０）。
【請求項９】
光散乱基板（１２）と、
前記基板（１２）上にパターン形成されていて、光源（１５）からの光の透過強度を調節して、広く相隔たる光源によって生じる横縞を低減することにより輝度の均一性を向上させる複数の光調節ドット（３２）であって、反射性ドット、又は透過性ドット、又は吸収性ドット、又はこれらの組合せを有している複数の光調節ドット（３２）と、
を有する光拡散体。
【請求項１０】
前記光散乱基板（１２）はポリカーボネート樹脂を有している、請求項９記載の光拡散体。
【発明の詳細な説明】
【技術分野】
【０００１】
本発明の実施形態は、一般的に云えば、表示装置におけるバックライト照明の均一性を改善するためのシステムに関するものである。
【背景技術】
【０００２】
フラットパネル液晶表示装置（ＬＣＤ）のような大型表示装置は、典型的には、冷陰極蛍光ランプ（ＣＣＦＬ）を光源として利用している。ＣＣＦＬは形状因子が小さい（典型的には、２．６〜３．０ｍｍの範囲内の直径を持つ）が、ＣＣＦＬは発光効率が比較的低く且つ長さがより長くなると脆弱である。表示パネル・スクリーンの対角線寸法が増大し続けているので、このような表示パネルを照明するための機械的に頑丈で高い発光効率の光源についての需要も増大している。
【０００３】
つい最近では、熱陰極蛍光ランプ（ＨＣＦＬ）がこのようなフラットパネル表示装置のための光源として使用されている。ＨＣＦＬの使用により、光出力の現在のパルス動作を行うことができ、これにより、ＬＣＤピクセルが画像フレーム相互の間で状態を変えるための有限の遅延時間によって惹起される動きのボケを低減することが可能になる。ＨＣＦＬは発光効率がＣＣＦＬよりも高く、且つ（典型的な直径がほぼ１６ｍｍである）管の長さがより長くなっても機械的により頑丈である。しかしながら、フラットパネル表示装置における動向がパネル深さを低減することであり且つＨＣＦＬがＣＣＦＬよりも直径が大きいので、ＨＣＦＬは表示パネルのバックライト空洞内でより多くの空間を占める傾向がある。これにより、ＬＣＤスクリーンの下方での照明の不均一性が横縞の形態でより大きくなり、これは一般に最終使用者にとって不快である。その上、フラットパネル表示装置における動向がパネル深さを低減することであるので、バックライト空洞の深さを有意に増大させることなく照明の均一性を向上させることが一般に要望されている。
【発明の開示】
【０００４】
一実施形態では、照明システムを提供し、この照明システムは、バックライト・ハウジングと、前記バックライト・ハウジングに結合された複数の光弁(light valve) と、前記バックライト・ハウジング内に配列されて、前記光弁に光学的に結合された複数の光源とを含む。照明システムは更に、前記複数の光源と前記光弁との間に光学的に結合された光散乱基板と、前記基板上にパターン形成されていて、前記複数の光源からの光の透過強度を調節して、相隔たる複数の光源によって生じる横縞(banding) を低減することにより輝度の均一性を向上させる複数の光調節(light modulating)ドットと、を含むことができる。
【０００５】
別の実施形態では、光拡散体を提供し、この光拡散体は、光散乱基板と、前記基板上にパターン形成されていて、光源からの光の透過強度を調節して、広く相隔たる光によって生じる横縞を低減することにより輝度の均一性を向上させる複数の光調節ドットとを含む。
【０００６】
一実施形態では、複数の光調節ドットは、反射性ドット、又は透過性ドット、又は吸収性ドット、又はこれらの組合せを含むことができる。
【０００７】
本発明は、本発明の様々な実施形態の添付図面を参照して以下の詳しい説明を読むことによってより一層完全に理解されよう。様々な実施形態は制限するものとして取るべきではなく、説明と理解のためであり、また図面では、全図面を通じて同様な部品を同様な参照符号で表している。
【発明を実施するための最良の形態】
【０００８】
本発明の１つ又は複数の実施形態に従って、照明の均一性を改善するためのシステム及び方法を以下に説明する。以下の詳しい説明では、本発明の様々な実施形態の完全な理解が得られるように多数の特定の細部を記述する。しかしながら、当業者には、複数の実施形態がこれらの特定の細部を示さなくても実施できること、本発明が特定の実施形態のみに制限されないこと、及び本発明が様々な代替実施形態で実施できることが理解されよう。他の例では、周知の方法、手順及び構成部品については詳しく説明しない。更に、繰り返し使用する語句「一実施形態」は、可能ではあるけれども、必ずしも同じ実施形態を表しているものではない。最後に、本出願で使用される用語「有する」、「含む」及び「持つ」、並びに同様な用語は、特に指示しない場合は、同等な意味を持つものとする。
【０００９】
図１は、一実施形態に従った模範的な照明システムの断面図である。図１において、照明システム１０は、バックライト・ハウジング１９と、バックライト・ハウジング１９に結合された複数の光弁１１と、バックライト・ハウジング１９内に配列されて、光弁１１に光学的に結合された複数の相隔たる光源１５とを含む。照明システム１０は更に、複数の光源１５と光弁１１との間に光学的に結合された少なくとも１つの光散乱基板１２と、光散乱基板（１つ又は複数）１２に対する支持を行う複数の支持体１６とを含む。
【００１０】
光弁は、複数の光源１５によって発生された光の透過率を調節するように個別に制御可能であるピクセル開口を含んでいる液晶表示装置（ＬＣＤ）のような透過性又は反射性光弁アレイ（配列体）とすることができる。更に、光散乱基板（１つ又は複数）１２は、複数の光源１５によって発生された光の照明の均一性を増大させるために光弁１１と複数の光源１５との間に設けることができる。以下に更に詳しく説明する一実施形態によれば、照明システム１０は、複数の光源１５からの光の透過強度を調節して輝度の均一性を向上させるように１つ又は複数の光散乱基板１２上にパターン形成された複数の光調節ドットを備えている。
【００１１】
バックライト・ハウジング１９は、例えば、照明システムの意図した用途に依存して、大きさ及び形状因子を変えることができる。例えば、照明システム１０がＬＣＤテレビジョンに使用することを目的とされている場合、バックライト・ハウジングの長さ及び幅は、約５０〜２００ｃｍ及びそれよりも大きいこともあるＬＣＤパネルに対処する大きさにすることができる。しかしながら、バックライト・ハウジング１９の直径がこのような大きなＬＣＤパネルに対処するように増大されたときでも、バックライト・ハウジング１９の深さ（例えば、その中に複数の光源１５が配置される空間）は約２５ｍｍ程度に保ち続けられている。
【００１２】
バックライト・ハウジング１９は、複数の光源１５から放出された光を反射して光弁１１の方へ戻すために複数の光源１５の下方又はそれらの間に形成された１つ又は複数の反射器１４を備えることができる。反射器（１つ又は複数）は、例えば、単一の反射性金属板又は被覆付きプラスチック反射器の形態を取ることができ、またバックライト・ハウジング１９と光源１５との間に均等に分布させることができる。この代わりに、反射器（１つ又は複数）１４は、バックライト・ハウジング１９と光源１５との間に配置することができる。例えば、一実施形態では、１つ又は複数の反射器１４を各々の光源１５との間に配置して、光散乱基板（１つ又は複数）１２上の相対的に低い強度の領域へ付加的な光を反射又は散乱させることによって、照明システム１０にわたって照明の均一性を更に向上させることができる。
【００１３】
図２は、一実施形態に従った、図１の照明システム１０のような模範的な照明システムの斜視図である。図２において、図示の照明システムは、バックライト・ハウジング１９内に固定の間隔で配列された複数の光源１５と、バックライト・ハウジング１９と光源１５との間に少なくとも部分的に設けられた反射器１４とを含む。更にまた、３つの光散乱基板（拡散体）１２ａ、１２ｂ及び１２ｃが示されていて、これらは光弁１１（図示せず）と複数の光源１５との間に光学的に結合されている。光散乱基板１２ａ、１２ｂ及び１２ｃは１つ又は複数の拡散フィルム、シート又は板を含むことができ、またそれらは個々に又は包括的に拡散体と呼ぶことができる。一実施形態では、光散乱基板１２ａ、１２ｂ及び１２ｃの内の１つ又は複数はポリカーボネート樹脂を含むことができる。一実施形態では、光散乱基板１２ｃは約２ｍｍの厚さを持つ比較的厚い板とすることができ、他方、光散乱基板１２ａ及び１２ｂの各々は約０．２ｍｍの厚さを持つ薄いフィルムとすることができる。一実施形態では、光散乱基板１２ｃは、米国マサチュセッツ州ピッツフィールド所在のＧＥプラスチックス社から入手可能であるＧＥ部品番号ＳＷ２００５のような厚い体積のある散乱拡散体とすることができ、他方、光散乱基板１２ａ及び１２ｂは、ＧＥプラスチックス社から入手可能であるイルミネックス（ＩＬＬＵＭＩＮＥＸ）と云う商品名の等級ＤＬ４２５１又はＤＬ４２５０の表示フィルムとすることができる。
【００１４】
一実施形態によれば、複数の光源１５は１つ又は複数の蛍光ランプを含むことができる。より特別な実施形態では、光源１５は、電極がランプの両端部にあるＴ５形ランプのような１つ又は複数の熱陰極蛍光ランプ（ＨＣＦＬ）を含むことができる。従って、複数の光源１５の両端部にある電極に電圧が供給されたときに、複数の光源１５は光を放出する。
【００１５】
図３は、本発明の実施形態に従った光源１５として使用するのに適した模範的なＴ５形熱陰極蛍光ランプ（ＨＣＦＬ）２５を示す略図である。より詳しい図を提供するために、ＨＣＦＬ２５の最も左側の部分のみを示している。ＨＣＦＬ２５は、その各端部において、外側部材１８と、ランプに電圧源を供給するための２つの電極１７とを含む。ＨＣＦＬ２５は、長さ「Ｌ」及び幅又は直径「Ｄ」を持つものとして特徴付けることができる。一実施形態では、ＨＣＦＬ２５の直径は約１６ｍｍであり、これに対し、長さは意図した用途に依存して変えることができる。例えば、ＬＣＤのバックライトに関連して使用されるとき、長さはバックライト・ハウジング１９又は光弁（例えば、ＬＣＤパネル）１１の直径に依存して変えることができる。
【００１６】
図４は、本発明の一実施形態に従った模範的な照明システム１０の正面図を示す略図である。照明システム１０は、前述のバックライト・ハウジング１９と複数の熱陰極蛍光ランプ（ＨＣＦＬ）２５とを含む。熱陰極蛍光ランプ２５は実質的に光弁１１に平行な平面内に配列することができ、また光弁の背後で、図示のようにバックライト・ハウジング１９の一方の側部から他方の側部へ長さ方向Ｌに延在することができる。熱陰極蛍光ランプ２５は、固定距離だけ、又は照明システム１０の幅に沿って変えられる距離だけ、互いから相隔てることができる。図４に示される実施形態では、熱陰極蛍光ランプ２５は固定距離２７だけ相隔てられている。
【００１７】
図４の照明システム１０は更に、複数の光源によって発生された光の照明の均一性を向上させるために（前述したような）光散乱基板１２を含む。しかしながら、熱陰極蛍光ランプ２５の直径が、フラットパネルの背面照明のためにより一般的に使用されている冷陰極蛍光ランプの直径よりも遙かに大きい（例えば、Ｔ５形ランプの場合は１６ｍｍであるのに対してＣＣＦＬランプの場合は２．６〜３．０ｍｍである）ので、ランプの頂部が光散乱基板の底部に一層近づくことになり、もって光散乱基板１２を通った場合でも光の横縞が生じ得る。より詳しく述べると、ＣＣＦＬランプの場合、バックライト・ハウジングの空洞深さの８８％がＣＣＦＬランプの頂部の上方に且つ拡散体の下方にあり、他方、Ｔ５形ランプの場合、バックライト空洞深さの４８％のみがランプの頂部の上方に且つ光散乱基板１２の下方にあるに過ぎない。
【００１８】
一実施形態によれば、照明システム１０は、光散乱基板１２上にパターン形成されていて、複数の熱陰極蛍光ランプ２５からの光の透過強度を調節して、相隔たる複数の熱陰極蛍光ランプ２５によって生じる横縞を低減することによって輝度の均一性を向上させる複数の光調節ドットを備えている。特に指定しない限り、用語「ドット」とは広義に小さなマーク又は内包物を表すものとする。光調節ドットは実質的に丸いものであってよいが、他の形状、例えば、限定するものではないが、四角形、楕円形、台形、又は任意の他の幾何学的形／多角形とすることができる。更に、このようなドットは円形で直径を持つものであってよく、また他のドットは僅かに楕円形で長軸と短軸を持つものであってよい。一実施形態では、光調節ドットは、典型的には約２００μｍ〜約５００μｍの開口領域を持つことができる関連したＬＣＤパネルのピクセル開口領域よりも小さい。一実施形態では、光調節ドットは約３００μｍ未満のドット幅又は直径を持つことができる。より特定の例では、光調節ドットは、ＬＣＤピクセル領域の大きさの３分の１以下であるドット面積を持つことができる。一実施形態では、光調節ドットは約１５０μｍのドット幅又は直径を持つことができる。一実施形態では、光調節ドットは、二酸化チタン（例えば、ＴｉＯ２  ）又は酸化アルミニウム（例えば、ＡｌＯ２  ）のような高反射性の散乱物質を取り入れた塗料又はインクで構成される。更に、光調節ドットは、公知の又は開発すべき種々の方法で光拡散体のような光散乱基板上に形成することができる。例えば、光調節ドットは、シルクスクリーン、インクジェット印刷、又は塗料ドット・オン・デマンド印刷により拡散体上に印刷することができる。シルクスクリーンは１回の動作で全表面の素早い印刷を可能にし、これに対して、インクジェット及びドット・オン・デマンド印刷はプリンタが各スポット位置に個々にアクセスすることを必要とする。
【００１９】
一実施形態では、本書で述べる光調節ドットは、反射性ドット、又は透過性ドット、又は吸収性ドット、又はこれらの組合せを含むことができる。反射性ドットは、鏡面反射性又は拡散性とすることができ、且つ一般に熱陰極蛍光ランプ２５のような光源から放出された光を反射してランプ及びバックライト・ハウジング１９へ向けて戻すことができる。ランプの上方の領域から反射された光は、ランプ相互の間の領域の上方に散乱又は拡散し、従ってランプ相互の間での強度を増大させる。透過性ドットは、光源から放出された光を、ランプ及びバックライト・ハウジングから実質的に離れるように前方の方向に散乱させる。これと対照的に、吸収性ドットは、熱陰極蛍光ランプ２５のような光源から放出された光を少なくとも部分的に吸収する。吸収性ドットは、ランプの直ぐ上方の光の幾分かを吸収して全体の照明の均一性が改善されるように調節し且つ間隔をあけることができる。幾つかの特定の実施形態では、光調節ドットは部分的に透過性、部分的に反射性、又は部分的に吸収性にすることができる。例えば、光調節ドットは、例えば、５０〜９５％の反射率を持つ部分的に透過性のドットを含むことができる。このような部分的に透過性のドットは、拡散体本体を介して見たときに観察者には目に見え難いことがある。
【００２０】
一実施形態では、透過性ドットは、周囲の散乱基板１２の屈折率と比べて整合していない屈折率を持つマイクロ又はナノ粒子（或いは、内包物）を含むことができる。より高い又はより低い屈折率を持つ粒子を基板／拡散体内に埋め込んで又は拡散体の表面に付着させて使用することにより、粒子が光を制御された円錐角内に集束するようにすることができる。生じさせる散乱の性質に影響を与えるパラメータは、粒子（或いは、内包物）の大きさ、それらの屈折率、及びそれらの密度である。粒子は１００ｎｍ〜５００μｍの大きさに作ることができ、またシリカ及びポリスチレンを含む種々の材料で構成することができる。粒子はまた、周囲の基板からの屈折率の変化を最大にするために中空に作ることができる。マイクロ粒子又は内包物の密度は、ランプの直ぐ上方での散乱を増大させ且つランプ相互の間の空間の上方での散乱を低減させて、全体の照明の均一性を向上させるように、調節し且つ間隔を空けることができる。
【００２１】
光調節ドットは単一の光散乱基板（例えば、１２ａ、１２ｂ、１２ｃ）の１つ又は複数の表面内又は表面上に形成することができ、或いは光調節ドットは２つ以上の光散乱基板上に層を成すように形成することができる。更に、光調節ドットは光散乱基板１２の２つ又はそれより多数の層の間に形成することができる。前に述べたように、光散乱基板１２は、少なくとも一部がポリカーボネート樹脂から形成される拡散体を表すことができる。
【００２２】
更にまた、光調節ドットは、光調節ドット・パターンを形成するように配列することができる。一実施形態では、光調節ドット・パターンはパターン長及びパターン幅によって特徴付けることができ、パターン長は熱陰極蛍光ランプ２５の長さ方向「Ｌ」に平行になるように定められ、またパターン幅は熱陰極蛍光ランプ２５の長さ方向「Ｌ」に対して直交するように定められる。一実施形態では、光調節ドットは、得られる光調節ドット・パターン幅が対応する光源の幅又は直径よりも大きくなるようなパターンで形成することができる。例えば、熱陰極蛍光ランプ２５に関連して使用されるとき、光調節ドット・パターン幅は、Ｔ５形ランプの直径である１６ｍｍよりも大きくすることができる。一実施形態では、光調節ドット・パターン幅は対応する光源の直径よりも小さくすることができる。一実施形態では、光調節ドット・パターン幅は約２５ｍｍにすることができる。
【００２３】
一実施形態では、光調節ドット・パターンはランプ位置の関数として繰り返される。例えば、図４において、各々の繰り返される光調節ドット・パターンは、対応する熱陰極蛍光ランプ２５に対して中心合わせすることができる。その上、各々の繰り返される光調節ドット・パターンは、各々の熱陰極蛍光ランプ２５を隔てる距離２７のほぼ半分で始まり且つ終ることができる。他の実施形態では、光調節ドット・パターンはランプ相互の間の間隔の最大１００％まで延在することができる。
【００２４】
一実施形態では、複数の熱陰極蛍光ランプ２５のような複数の光源から放出された光の強度透過率が、反射性ドット間隔又はドット面積、或いはそれらの組合せを利用する拡散体によって調節され得る。一実施形態では、光調節ドット相互の間の間隔は、例えば図４に示されるような長さ方向と直交する方向に、ランプの幅又は直径に沿ったランプ中心からの距離の関数として変えることができる。
【００２５】
図５は、一実施形態に従った光源位置の関数として空間調節パターンで形成された光調節ドットを含む照明システムの切断部分を示す。図５の照明システムの図示部分は、バックライト・ハウジング１９と、単一の熱陰極蛍光ランプ２５と、空間調節パターンで形成された光調節ドット３２を含む光散乱基板１２を含んでいる。図示の実施形態では、光調節ドット３２相互の間の間隔は、熱陰極蛍光ランプ２５の幅／直径の関数として、ランプの長さ方向と直交する方向に変化している。従って、熱陰極蛍光ランプ２５のような光源の上方での光の散乱は、このような光源を相隔てる空間の上方での光の散乱に比べて増大する。一実施形態では、光調節ドットは以下の関数に従って相隔てられる。
【００２６】
Px（i） = A + B*（x／Ni）+ C*（x／Ni）2 + D*（x／Ni）3
Py（j） = G*（y／Nj）
これらの関数は、ランプの中心から横方向にｉ番目のドット及び縦方向にｊ番目のドットまでの距離を表す。光調節ドットの位置についての式は、１０次の項までの多項式の形を取り得るが、一般的には横方向の変動を補正するのに二次方程式で充分であり且つ縦方向では間隔は単純に線形である。
【００２７】
図６は、一実施形態に従った、光調節ドット・パターンの縁からのドット出現計数値によって表されるようなランプ位置の関数として光調節ドット間隔を例示するグラフである。グラフを参照して分かるように、ドット相互の間の間隔が、熱陰極蛍光ランプ２５のような光源の中心に対応する点Ｂから、各々が所与の光源についての光調節ドット・パターンの始め又は終わりに対応する点Ａ及び点Ｂまで増大している。
【００２８】
図７は、本発明の一実施形態に従った光調節ドットを含む拡散体を備えた照明システムと光調節ドットを含まない照明システムの輝度を例示するグラフである。より詳しく述べると、図７は、バックライト・ハウジング１９に沿った線形変位（ｍｍ単位）の関数として、拡散体に対して垂直な角度から測定した輝度をルーメン／ｃｍ２  ／ステラジアン単位(nits)で示す。図７において、第１の曲線５３は、Ｔ５形熱陰極蛍光ランプ及び拡散体パネルを含む標準的な照明システムについての空間輝度を表す。第１の曲線５３によって示されている不均一性は、この場合ほぼ１１％である。対照的に、第２の曲線５４は、Ｔ５形熱陰極蛍光ランプと一実施形態に従った複数の１００μｍの空間調節光反射性ドットを備えた拡散体パネルとを含む改善した照明システムについての空間輝度を表す。第２の曲線５４によって示されている不均一性はほぼ１％に過ぎない。
【００２９】
これまで、例示の目的でＨＣＦＬ光源について詳しく説明した。しかしながら、本発明の実施形態は、ＣＣＦＬ、発光ダイオード（ＬＥＤ）、有機発光ダイオード、レーザなどを含む多数の他の光源を含み又はそれらの他の光源に関連して使用することができる。光反射性ドット・パターンは、所与の種類の光源及び用途に基づいて、結果として得られる光の均一性を最適化するように修正することができる。
【００３０】
以上、本発明の特定の特徴のみを図示し説明したが、当業者には多数の修正及び変更をなし得よう。従って、特許請求の範囲が本発明の真の精神の範囲内にあるこの様な全ての修正及び変更を包含するものとして記載してあることを理解されたい。
【図面の簡単な説明】
【００３１】
【図１】一実施形態に従った模範的な照明システム１０の断面図である。
【図２】一実施形態に従った模範的な照明システム１０の斜視図である。
【図３】一実施形態に従った光源１５として使用するのに適した模範的なＴ５形熱陰極蛍光ランプ（ＨＣＦＬ）を示す略図である。
【図４】一実施形態に従った模範的な照明システム１０の前面図を示す略図である。
【図５】一実施形態に従った光源位置の関数として空間調節パターンに形成された光調節ドットを含む照明システムの切断部分の略図である。
【図６】一実施形態に従った、光調節ドット・パターンの縁からのドット出現計数値によって表されるようなランプ位置の関数として光調節ドット間隔を例示するグラフである。
【図７】一実施形態に従った光調節ドットを含む拡散体を備えた照明システムと光調節ドットを含まない照明システムとの輝度を例示するグラフである。
【符号の説明】
【００３２】
１０  照明システム
１１  光弁
１２  光散乱基板
１４  反射器
１５  光源
１６  支持体
１７  電極
１８  外側部材
１９  バックライト・ハウジング
２５  熱陰極蛍光ランプ
２７  固定距離
３２  光調節ドット
【図１】
2008147174.tif 000003
【図２】
2008147174.tif 000004
【図３】
2008147174.tif 000005
【図４】
2008147174.tif 000006
【図５】
2008147174.tif 000007
【図６】
2008147174.tif 000008
【図７】
2008147174.tif 000009
【外国語明細書】
2008147174000001.pdf